(57)【特許請求の範囲】
【請求項１】
感光体上に所定のトナーパターンを形成し、濃度検知センサーによる前記トナーパターンの濃度測定結果に応じて入力画像データの濃度特性を補正する画像形成装置において、
上記トナーパターンには、メンテナンス時に生成される第１のトナーパターンと、画像形成時に生成される第２のトナーパターンとがあり、
上記濃度検知センサーによる上記第２のトナーパターンの出力値を近似処理して求められる近似線上の、上記濃度検知センサーにより検出可能な最低画像濃度に対応する点を最低画像濃度出力値とした場合に、該最低画像濃度出力値を通過し、且つ、上記濃度検知センサーによる上記第１のトナーパターンの出力値を近似処理して求められる基準線と平行な直線を用いて、上記最低画像濃度よりも低濃度の領域の画像に対して階調補正を行うことを特徴とする画像形成装置。
【請求項２】
感光体上に所定のトナーパターンを形成し、濃度検知センサーによる前記トナーパターンの濃度測定結果に応じて入力画像データの濃度特性を補正する画像形成装置において、
上記トナーパターンには、メンテナンス時に生成される第１のトナーパターンと、画像形成時に生成される第２のトナーパターンとがあり、
上記濃度検知センサーによる上記第２のトナーパターンの出力値を近似処理する際に、該出力値のうち所定値未満の出力値を削除し、残りの出力値のみを用いて近似線を求め、
該近似線上の上記所定値に対応する点を通過し、且つ、上記濃度検知センサーによる上記第１のトナーパターンの出力値を近似処理して求められる基準線と平行な直線を用いて、上記所定値よりも低濃度の領域の、有彩色画像に対する階調補正を行うことを特徴とする画像形成装置。
【請求項３】
感光体上に所定のトナーパターンを形成し、濃度検知センサーによる前記トナーパターンの濃度測定結果に応じて入力画像データの濃度特性を補正する画像形成装置において、
上記トナーパターンには、メンテナンス時に生成される第１のトナーパターンと、画像形成時に生成される第２のトナーパターンとがあり、
上記濃度検知センサーによる上記第２のトナーパターンの出力値を近似処理する際に、該出力値のうち所定値を超える出力値を削除し、残りの出力値のみを用いて近似線を求め、
該近似線上の上記所定値に対応する点を通過し、且つ、上記濃度検知センサーによる上記第１のトナーパターンの出力値を近似処理して求められる基準線と平行な直線を用いて、上記所定値より低濃度の領域の、無彩色画像に対する階調補正を行うことを特徴とする画像形成装置。
【請求項４】
感光体上に所定のトナーパターンを形成し、濃度検知センサーによる前記トナーパターンの濃度測定結果に応じて入力画像データの濃度特性を補正する画像形成装置において、
上記トナーパターンには、メンテナンス時に生成される第１のトナーパターンと、画像形成時に生成される第２のトナーパターンとがあり、
上記濃度検知センサーによる上記第２のトナーパターンの出力値に対し、デューティ値を順次増加する方向へ変化させた場合に、出力値が連続的な上昇を開始する起点を起点出力値とし、
該起点出力値を通過し、且つ、上記濃度検知センサーによる上記第１のトナーパターンの出力値を近似処理して求められる基準線と平行な直線を用いて、上記起点出力値に対応する濃度値よりも低濃度の領域の、有彩色画像に対する階調補正を行うことを特徴とする画像形成装置。
【請求項５】
感光体上に所定のトナーパターンを形成し、濃度検知センサーによる前記トナーパターンの濃度測定結果に応じて入力画像データの濃度特性を補正する画像形成装置において、
上記トナーパターンには、メンテナンス時に生成される第１のトナーパターンと、画像形成時に生成される第２のトナーパターンとがあり、
上記濃度検知センサーによる上記第２のトナーパターンの出力値に対し、デューティ値を順次増加する方向へ変化させた場合に、出力値が連続的な下降を開始する起点を起点出力値とし、
該起点出力値を通過して、且つ、上記濃度検知センサーによる上記第１のトナーパターンの出力値を近似処理して求められる基準線と平行な直線を用いて、上記起点出力値に対応する濃度値よりも低濃度領域の無彩色画像に対する階調補正を行うことを特徴とする画像形成装置。
【請求項６】
感光体上に所定のトナーパターンを形成し、濃度検知センサーによる前記トナーパターンの濃度測定結果に応じて入力画像データの濃度特性を補正する画像形成装置において、
上記トナーパターンには、メンテナンス時に生成される第１のトナーパターンと、画像形成時に生成される第２のトナーパターンとがあり、
上記濃度検知センサーによる上記第１のトナーパターンの出力値を近似処理して求められる基準線の、所定の最低画像濃度に対応するデューティ値と、上記濃度検知センサーによる上記第２のトナーパターンの出力値を近似処理して求められる近似線の、上記最低画像濃度に対応するデューティ値との差を、デューティ値差分とし、
上記最低画像濃度よりも低濃度の領域の画像に対しては、上記基準線を上記デューティ値差分だけ上記近似線側に平行移動させた直線を用いて、階調補正を行うことを特徴とする画像形成装置。
【発明の詳細な説明】
【０００１】
【発明の属する技術分野】
本発明は、電子写真方式を用いる複写機、レーザビームプリンタ、ファクシミリ装置等の画像形成装置に関する。
【０００２】
【従来の技術】
従来より、複写機やプリンタ等に用いられている画像形成装置は、電子プロセスにおける帯電、露光、現像等の印加電圧や温度上昇に対して濃度特性が変動するため、所望の濃度特性を得る目的で入力画像の特性を補正することが一般的である。
【０００３】
すなわち、電源投入時または用紙が所定枚数出力される毎に、感光体ドラムにおいては所定の濃度に対応したトナーパターンが複数形成される。次に、このトナーパターンの濃度はセンサーによって測定され、測定された濃度と、最も望ましい濃度（予め設定された基準値）との差が求められ、この差に基づいて濃度変換テーブルが作成される。以後、入力画像データの濃度が該濃度変換テーブルに基づいて補正され、画像出力が行われる。
【０００４】
ところで、電子写真装置等の画像形成装置における画像出力には、ベタ、ライン、中間調等の種類がある。これらの画像は、電子写真プロセスにおける帯電、露光、現像、転写および定着の各変動因子の影響を受けて変化するため、濃度補正を施さずに出力画像の濃度を一定に保つのは不可能である。また、画像の種類によって電子写真プロセスの各変動因子に対する影響の度合も異なるので、画像の種類に応じて濃度補正の制御を変える必要が生じてくる。
【０００５】
しかしながら、上記従来の画像形成装置は、ベタ画像濃度またはトナー付着量を検出して、感光体ドラム上のトナー付着量を制御しているので、画像の種類に応じて画像全体の濃度出力を一定にすることはできない。
【０００６】
この問題を解決するものとしては、例えば、特開平８−２６５５７１号公報に開示された画像形成装置がある。この画像形成装置では、中間調等をも含む画像全体の濃度を適正にするために、現像バイアスを変化させて感光体ドラム上に高濃度検出用トナーパターンと中間調濃度検出用トナーパターンとの２種類の濃度検出用トナーパターンが形成されている。
【０００７】
そして、上記画像形成装置は、反射型センサーからなるトナー量検出手段にて高濃度検出用トナーパターンを検出することにより、感光体ドラム上への最大トナー付着量を濃度補正手段にて制御する。それとともに、トナー量検出手段にて中間調濃度検出用トナーパターンを検出することにより、中間調濃度部に対する感光体ドラム上へのトナー付着量を濃度補正手段にて調整制御している。これら、感光体ドラム上への最大トナー付着量の制御と、中間調濃度部に対する感光体ドラム上へのトナー付着量の制御とを併用することにより、画像全体の濃度を一定に保持している。
【０００８】
具体的には、上記濃度補正手段は、トナー量検出手段により高濃度検出用トナーパターンから高濃度を検出し、これを高濃度基準値と比較して、高濃度基準値とのずれが発生していた場合には高濃度補正を行う。さらに、濃度補正手段は、高濃度の画像調整が保証された条件で、トナー検出手段により中間調濃度検出用トナーパターンから中間調濃度を検出し、中間調濃度基準値との比較により基準値とのずれが発生している場合には中間調濃度補正を行っている。
【０００９】
また、中間調濃度補正は、例えば特開平８−２８９１４８号公報の発明において、次のように行われている。まず、帯電、露光、現像、転写の過程において、露光時にレーザーのパルス幅を変調した中間調のトナーパターンを転写ベルト上に各色複数個形成し、これらのパターンを濃度検知センサーにて順に測定して、各測定結果から光学濃度が検出される。次に、該光学濃度が予め記憶させておいた各色複数個の目標濃度値と比較され、それぞれ目標値と現在値の変更量とが算出されて、中間調テーブルが修正される。
【００１０】
【発明が解決しようとする課題】
ところで、上述したように、トナーパターンを用いた濃度補正は、電源投入時または用紙が所定枚数出力される毎に、トナーパターンが複数形成されて実行されるものである。上記従来の画像形成装置では、高濃度補正のみならず中間調濃度調整をも行うことにより、その分時間がかかることになる。その結果、高濃度補正のみを行う画像形成装置に比べて使用者を待たすことになり、却って使い勝手が良くないという問題を招来する。
【００１１】
また、毎回、高濃度補正のみならず中間調濃度調整を行うので、中間調濃度調整に伴うトナーパターン形成のためのトナー消費量が増加し、コストが増加してしまうという問題点を有している。
【００１２】
ここで、中間調濃度補正の方法に関し、前記特開平８−２８９１４８号公報に開示されている技術についてさらに詳しく説明する。先ず、基準となる第１の濃度変換テーブルをメンテナンス時に作成しておく。次に、実際に画像出力を行う場合は、所定の複写枚数毎にトナーパターンを出力し、その濃度を測定し、測定した濃度を第２の濃度変換テーブルとする。次に、第１の濃度変換テーブルおよび第２の濃度変換テーブルに基づいて実際に使用する新たな濃度変換テーブルを作成する。すなわち、中濃度領域にあっては第１の濃度変換テーブルおよび第２の濃度変換テーブルの内分結果を用い、低・高濃度領域にあっては近接する中濃度領域を参照して所定の傾きを有する直線状にテーブル値を設定している。
【００１３】
しかしながら、トナーパターンを生成してその濃度を測定するためには、一般に、感光体、現像部、転写部センサー等において各種の処理を行う必要があり、その過程において、種々の原因により、トナーパターンの濃度にノイズが含まれることがある。このような場合、検出したトナーパターンの濃度を常に正しいものとして濃度変換テーブルを作成すると、誤った階調濃度の出力画像が生成されることになる。また、トナーパターンの数は出力画像濃度の階調数より少ないことが普通であり、各種の補間処理によって全階調に渡る濃度変換テーブルが作成される。しかし、この補間処理において誤った濃度変換テーブルが作成された場合は、やはり誤った階調濃度の出力画像が生成されることになる。また、補間処理を精密に行うとすれば、多大な処理時間が必要になり実用に耐えないという問題が発生する。
【００１４】
一方、多色カラー画像は、単色の画像の重ね合わせにて形成されることから、従来の手法のように、カラーのうち一色のみの濃度変化で判断していては、多色カラー画像全体のカラーバランスの変化を見極めることが困難であるという問題点を有している。
【００１５】
すなわち、カラー画像全体のカラーバランスは、周囲の温度、湿度および画像形成に関する部材のライフ変性によって大きく変化することから、このようなカラー画像全体のカラーバランスの変化を判断して補正を行うことは、カラー画像を表現する上で不可欠である。
【００１６】
また、画像濃度も、高濃度域および中間調濃度域を問わず、上記に変動因子により濃度変化し、その変動も各色によって大きく異なることが多い。
【００１７】
これに対し、従来技術では、図１６に示すように、画像の濃度と各色基準濃度との差が一定値を超えたとき、すなわち、画像濃度が斜線で示す領域Ａを超えて領域Ｂに存在する時のみ濃度補正が行われるという、１色のみの変化により補正動作の有無を決定する手法となっている。
【００１８】
しかしながら、画像形成に関係する部材の交換によって、図１７に示すように、一点鎖線で示す部材交換前濃度曲線から二点鎖線で示す部材交換後濃度曲線に濃度変化が起こった場合には、正確な画像のカラーバランスの変化を判断することができない。
【００１９】
つまり、同図においては、１色のみの濃度変化を表しているが、実際には、各色共、周囲の温度、湿度および部材のライフ特性によって様々に変化する。この各色の濃度変化については、それぞれの基準濃度との差が僅かであっても、多色のカラー画像を表現するためのトナー画像の重ね合わせを行うことにより、カラー画像のカラーバランスに対して変化が生じることが多い。
【００２０】
この結果、図１６に示すような１色のみの変化で補正動作の有無を決定する手法では、正確なカラー画像の変化を判断することができないことになる。
【００２１】
また、カラー画像形成装置では、低濃度部の色および濃度の安定性が非常に重要であり、特に原稿の黒部分を黒に再現するのが重要である。従来より提案されているカラー画像形成装置の濃度調整方法として、例えば以下の７つが挙げられる。
【００２２】
（１）感光体上の電位を電位センサーで検出し、検出結果に基づいて調整した光量を照射することにより形成した明部電位および濃度の検出値より基準の電位を決定し、決定した基準電位により階調補正データを決定する方法。
【００２３】
（２）濃度センサーで検出した検出値より、帯電器のグリッド電位と現像バイアス電圧とを決定し、帯電器のグリッド電位と現像バイアス電圧との組合わせに対応した階調補正データを決定する方法。
【００２４】
（３）階調データと感光体上の潜像電位とが設定した関係を保持するように、階調補正データを補正する方法。
【００２５】
（４）高濃度中間調画像を感光体上に形成し、濃度を検出して予め設定された値と比較しながら像形成条件を制御する方法。
【００２６】
（５）階調パターンを読取装置で読み取り、階調補正する方法。
【００２７】
（６）Ｙ，Ｍ，Ｃの重ね合わせ現像によって作られる黒の階調パターンを読取装置で読み取り、階調補正する方法。
【００２８】
（７）Ｙ，Ｍ，Ｃの重ね合わせ現像によって作られる黒パターンの階調パターンを読取装置で読み取り、画像濃度設定目標値を算出する方法。
【００２９】
しかしながら、上記の各濃度調整方法は、中／高濃度部の階調性安定化を目的とするものである。従って、人間にとって最も色の変化が分かる低濃度部についての階調補正を行っておらず、中／高濃度部分の濃度を調整しただけでは低濃度部の変動を防ぐことはできない。
【００３０】
現状では、低濃度領域の濃度調整は、濃度センサーによる濃度検出値が制御部や電気回路のノイズなどの影響を受けやすいため濃度調整が難しく、また時間も要する。そのため、簡単にしかも精度よく低濃度部の色／濃度を調整しうる調整方法が望まれている。
【００３１】
また、単色の低濃度部の濃度を調整するだけでは原稿の黒部分を黒に再現することはできない。これはカラー複写装置では多重転写を行っていて、前色の転写の影響を受けてしまうからである。このために、画質調整の仕上げにカラーバランス調整用のパッチを作り、微調整をする必要がある。
【００３２】
本発明は、上記従来の問題点に鑑みてなされたもので、ベタ、ライン、中間調等の画像の種類に応じて画像全体の濃度出力を一定に保持しつつ、濃度補正の所要時間を短縮でき、かつ補正時に使用するトナー消費量を低減し得る画像形成装置を提供することにある。
【００３３】
【課題を解決するための手段】
上記の課題を解決するために、本発明に係る画像形成装置は、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第２のトナーパターンの出力値を近似処理して求められる近似線上の、上記濃度検知センサーにより検出可能な最低画像濃度に対応する点を最低画像濃度出力値とした場合に、該最低画像濃度出力値を通過し、且つ、上記濃度検知センサーによる上記第１のトナーパターンの出力値を近似処理して求められる基準線と平行な直線を用いて、上記最低画像濃度よりも低濃度の領域の画像に対して階調補正を行うことを特徴としている。
【００３４】
上記の構成により、濃度検知センサーによる検出が不可能な、最低画像濃度よりも低濃度の画像に対しても、安定した階調補正が可能となる。また、低濃度領域の画像に対して、濃度検知センサーの出力値（第２のトナーパターンの出力値）を用いて作成した近似線を用いるのではなく、第１のトナーパターンの出力値から求められる基準線と同じ傾きを有する直線を用いて階調補正を行うため、近似処理が不要となる。従って、従来は濃度調整が難しく、且つ多くの時間を要していた低濃度領域の画像に対しても、簡単に、しかも精度良く、色や濃度の調整を行うことができる。
【００３５】
また、中／高濃度領域の画像に対する補正方法としては、従来より様々な技術が開示されているので、それらの方法と、本発明の低濃度領域の画像に対する補正方法とを組み合わせることで、画像全体の安定した再現性を確保することが可能となる。例えば、補正のためのトナーパターンとして高濃度検出用トナーパターンと中間調濃度検出用トナーパターンとを併用し、且つ、高濃度補正を実行した後で、所定の実行条件と合致した時のみ中間調濃度補正を行うような補正方法を採用すれば、中／高濃度領域の画像濃度を一定に保持して適正に出力することができるとともに、中／高濃度領域の画像の補正に要する時間およびトナー消費量も低減することができる。
【００３６】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となる。
【００３７】
また、上記の課題を解決するために、本発明に係る画像形成装置は、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第２のトナーパターンの出力値を近似処理する際に、該出力値のうち所定値未満の出力値を削除し、残りの出力値のみを用いて近似線を求め、該近似線上の上記所定値に対応する点を通過し、且つ、上記濃度検知センサーによる上記第１のトナーパターンの出力値を近似処理して求められる基準線と平行な直線を用いて、上記所定値よりも低濃度の領域の、有彩色画像に対する階調補正を行うことを特徴とすることもできる。
【００３８】
一般に、低濃度領域では、センサー出力値の不安定さが出力画像に影響を及ぼしてしまう。しかし、本構成を用いることにより、所定値以下の低濃度領域では、濃度検知センサーの出力値を用いて近似線を求める必要がない。さらに、所定値として、例えばセンサーの不安定さの影響が及ぼされない程度の濃度を設定すれば、近似線の生成に伴う低濃度領域の出力値のバラツキの影響、例えばセンサー感度が不十分であることや、ノイズによる採取データの劣化などの不具合を排除することができる。従って、低濃度領域における有彩色画像の再現性を向上させることができる。さらに、低濃度領域では、第１のトナーパターンの出力値から求められる基準線の傾きを用いて階調補正を行うので、別途近似処理等を行う必要がなくなり、階調補正時間が短縮される。
【００３９】
また、上記濃度検知センサーとしては、反射型センサーを用いることが一般的である。反射型センサーを用いた場合、有彩色画像の濃度検知は、トナーパターンのトナー像にて乱反射した光を受光することにより行われる。従って、有彩色画像の場合は、デューティ値を順次増加する方向へ変化させるに従い、センサーの出力値が大きくなる。よって、有彩色画像の低濃度領域における階調補正を行う際に、上記のように所定値を起点出力値として決定しておくことで、再現性が向上することになる。
【００４０】
また、中／高濃度領域の画像に対する補正方法としては、従来より様々な技術が開示されているので、それらの方法と、本発明の低濃度領域の画像に対する補正方法とを組み合わせることで、画像全体の安定した再現性を確保することが可能となる。例えば、補正のためのトナーパターンとして高濃度検出用トナーパターンと中間調濃度検出用トナーパターンとを併用し、且つ、高濃度補正を実行した後で、所定の実行条件と合致した時のみ中間調濃度補正を行うような補正方法を採用すれば、中／高濃度領域の画像濃度を一定に保持して適正に出力することができるとともに、中／高濃度領域の画像の補正に要する時間およびトナー消費量も低減することができる。
【００４１】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となる。
【００４２】
また、上記の課題を解決するために、本発明に係る画像形成装置は、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第２のトナーパターンの出力値を近似処理する際に、該出力値のうち所定値を超える出力値を削除し、残りの出力値のみを用いて近似線を求め、該近似線上の上記所定値に対応する点を通過し、且つ、上記濃度検知センサーによる上記第１のトナーパターンの出力値を近似処理して求められる基準線と平行な直線を用いて、上記所定値より低濃度の領域の、無彩色画像に対する階調補正を行うことを特徴とすることもできる。
【００４３】
また、上記濃度検知センサーとしては、反射型センサーを用いることが一般的である。反射型センサーを用いた場合、無彩色画像の濃度検知は、トナーパターンのトナー像にて正反射した光を受光することにより行われる。従って、無彩色画像の場合は、デューティ値を順次増加する方向へ変化させるに従い、センサーの出力値が小さくなる。よって、無彩色画像は、濃度検知センサーの出力値が大きいほど低濃度である。従って、上記の構成のように、濃度検知センサーの出力値が所定値を超える出力値を削除することにより、上述した有彩色画像の場合と同様の作用効果を得ることができる。
【００４４】
また、上記の課題を解決するために、本発明に係る画像形成装置は、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第２のトナーパターンの出力値に対し、デューティ値を順次増加する方向へ変化させた場合に、出力値が連続的な上昇を開始する起点を起点出力値とし、該起点出力値を通過し、且つ、上記濃度検知センサーによる上記第１のトナーパターンの出力値を近似処理して求められる基準線と平行な直線を用いて、上記起点出力値に対応する濃度値よりも低濃度の領域の、有彩色画像に対する階調補正を行うことを特徴とすることもできる。
【００４５】
上記の構成によれば、起点として階調特性の変化するポイントを正確に求め、この起点出力値の画像濃度よりも低濃度領域の画像に対する階調補正には、この起点を通過し、且つ、基準線に平行な直線を用いている。従って、近似線を求めることに伴うバラツキの影響、例えばセンサー感度が不十分であることや、ノイズによる採取データの劣化等の不具合を排除し、有彩色画像における低濃度領域の再現性を向上させることができる。さらに、起点出力値の画像濃度以下の低濃度領域では、第１のトナーパターンの出力値から求められる基準線の傾きを用いて階調補正が行われるので、別途近似処理等を行う必要がなくなり、階調補正時間が短縮される。
【００４６】
また、上記濃度濃度センサーとしては、反射型センサーを用いることが一般的である。反射型センサーを用いて有彩色画像の濃度検知を行う場合には、トナーパターンのトナー像にて乱反射した光を受光する。従って、有彩色画像の場合は、デューティ値を順次増加する方向へ変化させるに従い、センサーの出力値が大きくなる。よって、有彩色画像の低濃度における階調補正を行う際に、上記のように起点出力値を決定すれば、再現性が向上することになる。
【００４７】
また、中／高濃度領域の画像に対する補正方法としては、従来より様々な技術が開示されているので、それらの方法と、本発明の低濃度領域の画像に対する補正方法とを組み合わせることで、画像全体の安定した再現性を確保することが可能となる。例えば、補正のためのトナーパターンとして高濃度検出用トナーパターンと中間調濃度検出用トナーパターンとを併用し、且つ、高濃度補正を実行した後で、所定の実行条件と合致した時のみ中間調濃度補正を行うような補正方法を採用すれば、中／高濃度領域の画像濃度を一定に保持して適正に出力することができるとともに、中／高濃度領域の画像の補正に要する時間およびトナー消費量も低減することができる。
【００４８】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となる。
【００４９】
また、上記の課題を解決するために、本発明に係る画像形成装置は、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第２のトナーパターンの出力値に対し、デューティ値を順次増加する方向へ変化させた場合に、出力値が連続的な下降を開始する起点を起点出力値とし、該起点出力値を通過して、且つ、上記濃度検知センサーによる上記第１のトナーパターンの出力値を近似処理して求められる基準線と平行な直線を用いて、上記起点出力値に対応する濃度値よりも低濃度領域の無彩色画像に対する階調補正を行うことを特徴とすることもできる。
【００５０】
上記濃度検知センサーとしては、反射型センサーを用いることが一般的である。反射型センサーを用いた場合、無彩色画像の濃度検知は、トナーパターンのトナー像にて正反射した光を受光することにより行われる。従って、無彩色画像の場合は、デューティ値を順次増加する方向へ変化させるに従い、センサーの出力値が小さくなる。よって、無彩色画像は、濃度検知センサーの出力値が大きいほど低濃度である。従って、上記の構成のように、デューティ値を順次増加する方向へ変化させた場合に濃度検知センサーの出力値が連続的な下降を開始する起点を起点出力値とすることにより、上述した有彩色画像の場合と同様の作用効果を得ることができる。
【００５１】
また、上記の課題を解決するために、本発明に係る画像形成装置は、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第１のトナーパターンの出力値を近似処理して求められる基準線の、所定の最低画像濃度に対応するデューティ値と、上記濃度検知センサーによる上記第２のトナーパターンの出力値を近似処理して求められる近似線の、上記最低画像濃度に対応するデューティ値との差を、デューティ値差分とし、上記最低画像濃度よりも低濃度の領域の画像に対しては、上記基準線を上記デューティ値差分だけ上記近似線側に平行移動させた直線を用いて、階調補正を行うことを特徴とすることもできる。
【００５２】
上記の構成によれば、予め設定した最低画像濃度よりも低濃度の領域では、わざわざ、階調補正用のパターン画像を作成して画像の濃度検出を行う必要がないので、階調補正が簡単に短時間で完了する。また上記のような補正を行うことにより、低濃度領域における画像の再現性をより向上させることができる。
【００５３】
また、上記最低画像濃度を、例えば濃度検知センサーによる検出が可能な最低の濃度に設定しておけば、濃度検知センサーによる検出が不可能な低濃度の画像に対しても、安定した階調補正が可能となる。
【００５４】
また、中／高濃度領域の画像に対する補正方法としては、従来より様々な技術が開示されているので、それらの方法と、本発明の低濃度領域の画像に対する補正方法とを組み合わせることで、画像全体の安定した再現性を確保することが可能となる。例えば、補正のためのトナーパターンとして高濃度検出用トナーパターンと中間調濃度検出用トナーパターンとを併用し、且つ、高濃度補正を実行した後で、所定の実行条件と合致した時のみ中間調濃度補正を行うような補正方法を採用すれば、中／高濃度領域の画像濃度を一定に保持して適正に出力することができるとともに、中／高濃度領域の画像の補正に要する時間およびトナー消費量も低減することができる。
【００５５】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となる。
【００５６】
また、上記の課題を解決するために、感光体上に所定のトナーパターンを形成し、濃度検知センサーによる前記トナーパターンの濃度測定結果に応じて入力画像データの濃度特性を補正する画像形成装置において、上記トナーパターンには、メンテナンス時に生成される第１のトナーパターンと、画像形成時に生成される第２のトナーパターンとがあり、上記濃度検知センサーによる上記第１のトナーパターンの出力値を近似処理して求められる基準線の延長上に存在し、該濃度検知センサーで検出不可能な極低濃度領域で画像が出現し始める画像濃度のデューティ値に対応する点を第１の仮想点を不動点として定め、上記濃度検知センサーによる上記第２のトナーパターンの出力値を近似処理して求められる近似線上の所定の最低画像濃度に対応する点を起点とした場合、該起点を通る上記基準線に平行な直線上に存在し、且つ、上記基準線の上記最低画像濃度に対応するデューティ値を有する第２の仮想点を移動点として定め、上記不動点と上記移動点とを通る直線に平行で、且つ、上記近似線上の上記起点を通る直線を用いて、上記最低画像濃度よりも低濃度の領域の階調補正を行ってもよい。
【００５７】
上記の構成によれば、予め設定した最低画像濃度よりも低濃度の領域では、わざわざ、階調補正用のパターン画像を作成して画像の濃度検出を行う必要がないので、階調補正が簡単に短時間で完了する。また上記のような補正を行うことにより、低濃度領域における画像の再現性をより向上させることができる。
【００５８】
また、上記最低画像濃度を、例えば濃度検知センサーによる検出が可能な、最低の濃度に設定しておけば、濃度検知センサーによる検出が不可能な低濃度の画像に対しても、安定した階調補正が可能となる。
【００５９】
また、中／高濃度領域の画像に対する補正方法としては、従来より様々な技術が開示されているので、それらの方法と、本発明の低濃度領域の画像に対する補正方法とを組み合わせることで、画像全体の安定した再現性を確保することが可能となる。例えば、補正のためのトナーパターンとして高濃度検出用トナーパターンと中間調濃度検出用トナーパターンとを併用し、且つ、高濃度補正を実行した後で、所定の実行条件と合致した時のみ中間調濃度補正を行うような補正方法を採用すれば、中／高濃度領域の画像濃度を一定に保持して適正に出力することができるとともに、中／高濃度領域の画像の補正に要する時間およびトナー消費量も低減することができる。
【００６０】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となる。
【００６１】
【発明の実施の形態】
〔実施の形態１〕
本発明の第１の実施形態について図１ないし図１１に基づいて説明すれば、以下のとおりである。
【００６２】
図２は、本実施の形態に係るカラー複写機（画像形成装置）の、画像形成プロセス部の概要を示す構成図である。以下、同図を参照して、本実施の形態に係るカラー複写機について説明する。
【００６３】
同図に示すように、本実施の形態に係るカラー複写機は、回転自在に支持された複数の感光体としての感光体ドラム１…を備えており、各感光体ドラム１…は駆動装置により矢印の方向に回転駆動されるようになっている。
【００６４】
上記各感光体ドラム１の周囲には、順に、感光体ドラム１表面を一様に帯電する帯電装置２と、感光体ドラム１表面を露光して潜像を形成する露光装置３と、その潜像を現像しトナー像を形成する現像装置４と、トナー像を転写材（用紙）に転写する転写装置５と、感光体ドラム１の表面に残ったトナーをクリーニングするクリーニング装置６とが配置されている。
【００６５】
一方、上記感光体ドラム１…は４つ直列に並び、それぞれにＹ（イエロー）、Ｍ（マゼンタ）、Ｃ（シアン）、ＢＫ（ブラック）の各トナーを収容した現像槽を有している。
【００６６】
また、上記転写装置５は、駆動側プーリーと従動側プーリーとの間に張架されて走行する転写ベルト７を備えている。この転写ベルト７は矢印の方向に走行するようになっている。したがって、転写材である記録媒体は静電的に転写ベルト７上に保持されて搬送される。
【００６７】
この転写ベルト７のループの内側には、各感光体ドラム１…に対向する位置に転写帯電器８…が配置され、これら各転写帯電器８…は、各感光体ドラム１に形成されたトナー像を転写ベルト７に転写する。また、転写ベルト７のループの内外には、転写ベルト７上の転写材を剥離する剥離コロトロン９と、転写ベルト７に貯まった電荷を除去（転写ベルト７を除電）する除電コロトロン１０と、転写ベルト７の表面に残留したトナーを掃き落とす転写ベルトクリーナ１１とが配置されている。図中、１２で示されているのは、転写材を転写ベルト７に搬送する転写材搬送ローラである。
【００６８】
上記の転写ベルト７上において４つの感光体ドラム１…を通過したトナー像が転写された記録媒体は、図示しない定着装置を通過することにより、そのトナー像が定着される。
【００６９】
さらに、本実施の形態に係るカラー複写機では、同図に示すように、トナー量から濃度を検出する濃度検知センサー１３が、転写ベルト７の下方の適当な位置で転写ベルト７に対向するように設けられている。
【００７０】
次に、１４はスキャナであり、原稿画像を読み取り、その内容を補正前画像データとして出力する。１５は階調補正回路であり、補正前後の画像濃度を対応させた濃度変換テーブルを記憶し、この濃度変換テーブルに基づいて補正前画像データの濃度を補正し、その結果を補正後画像データとして出力する。１６はレーザ露光装置であり、補正後の画像データに基づいて、各露光装置３のレーザダイオードの露光時間を制御する。
【００７１】
１７は制御回路であり、濃度検知センサー１３から出力された濃度検出信号に基づいて上述した濃度変換テーブルを作成し、階調補正回路１５に書き込む。また、制御回路１７は、複写機の電源投入時および所定の複写枚数毎にトナーパターン作成指令信号を出力する。１８はトナーパターン生成回路であり、前記トナーパターン作成指令信号を制御回路１７より受信すると、トナーパターンを転写ベルト７に生成させるように、レーザ露光装置１６に試験用の画像データを出力する。
【００７２】
次に、図３に基づき、本実施の形態に係るカラー複写機において、画像信号の処理を行う画像信号処理部について説明する。図３は、該画像信号処理部の構成例を示すブロック図である。
【００７３】
本実施の形態に係るカラー複写機の画像信号処理部には、色変換部１９と、黒生成部２０と、図２に示した階調補正回路１５に相当するガンマ補正部２１およびパルス幅変調部２２と、図２に示した制御回路１７に相当するＣＰＵ２３、ＬＵＴ算出部２４、ＲＯＭ２５、およびＲＡＭ２６と、トナーパターン生成回路１８に相当するパターンジェネレータ２７とが設けられている。これら各構成について、実際に画像出力を行う場合の画像信号処理動作と共に説明する。
【００７４】
上記色変換部１９は、スキャナ１４から入力されたＲ，Ｇ，Ｂの入力画像信号を、色再現忠実化を実現するために、Ｃ，Ｍ，Ｙ（Ｃ：シアン・Ｍ：マゼンタ・Ｙ：イエロー）に変換する。上記黒生成部２０は、上記色変換部１９から入力されたＣ，Ｍ，Ｙの３色信号を、Ｃ，Ｍ，Ｙ，ＢＫ（ブラック）の信号に変換する。
【００７５】
その後、上記ガンマ補正部２１は、Ｃ，Ｍ，Ｙ，ＢＫの信号をプリンタ部分の特性にマッチした画像信号に濃度変換する。該ガンマ補正部２１は、レーザのパルス幅を変調するためのルックアップテーブル（ＬＵＴ）（濃度変換テーブル）を有しており、このＬＵＴに基づくパルス幅変調信号をパルス幅変調部２２に出力する。パルス幅変調部２２は、入力画像に応じて変換されたパルス幅をレーザー露光装置１６に出力する。このパルス幅に応じて、レーザー露光装置１６が各露光装置１６を制御する。
【００７６】
また、ＣＰＵ２３は、濃度検知センサー１３から送出された画像濃度信号を用いて演算処理を行うことにより補正量を決定し、この補正量のデータをＬＵＴ算出部２４へと出力する。該ＣＰＵ２３は、ＲＯＭ２５などに格納された制御プログラムに従って、上述した画像信号処理部の各構成を制御するのもであり、さらに、ＲＯＭ２５に格納されたプログラムに従って、ＲＡＭ２６をワークメモリとして各種の画像処理などを実行している。ＬＵＴ算出部２４は、ＣＰＵ２３にて決定された補正量に合わせてＬＵＴの内容を変更し、変更後のＬＵＴを、ガンマ補正部２１に対してＬＵＴとして与える。
【００７７】
パターンジェネレータ２７は、所定の信号（パターン情報）をメモリしており、この信号をレーザ露光装置１６へ出力することによって、感光体ドラム１…上にテストパターン（可視画像）を形成する。ここで、テストパターンとは、低濃度から高濃度までの複数段階の濃度を持つステップパターンである。
【００７８】
また、上記の濃度検知センサー１３は反射型センサーであり、図４に示すように、発光素子１３ａと乱反射受光素子１３ｂおよび正反射受光素子１３ｃとを有し、カラー濃度検知と黒濃度検知との両方を行うことができる。
【００７９】
カラー濃度検知を行う場合には、発光素子１３ａから出射されて、転写ベルト７に転写されたトナーパターン等のトナー像によって乱反射した光を、乱反射受光素子１３ｂにて受光して光量に応じた電圧を発生する。一方、黒濃度検知を行う場合には、発光素子１３ａから出射されて転写ベルト７のトナーパターン等のトナー像によって正反射した光を、正反射受光素子１３ｃにて受光して光量に応じた電圧を発生する。
【００８０】
ここで、上記転写ベルト７は、トナーの反射率を大きく変化させるために、材質として変性ポリイミドを使用すると共に、表面を鏡面に仕上げて正反射率が１０％以上になるようにしている。
【００８１】
上述したように、本実施の形態に係るカラー複写機は、画像出力に際して画像濃度を適正に補正するために、各感光体ドラム１…上にトナーパターンを形成する。このトナーパターンとしては、高濃度検出用トナーパターンと中間調濃度検出用トナーパターンとの２種類の濃度検出用トナーパターンが形成される。これら高濃度検出用トナーパターンおよび中間調濃度検出用トナーパターンには、それぞれ、基準値として形成するものと画像を形成する際に随時形成されるものとがある。また、これら高濃度検出用トナーパターンおよび中間調濃度検出用トナーパターンは、感光体ドラム１の非画像形成領域に形成される。
【００８２】
上記の高濃度検出用トナーパターンは、ベタ画像にて形成される。これによって、最大トナー付着量を適正とする制御を行うことができる。
【００８３】
一方、中間調濃度検出用トナーパターンは、例えば３×３の画素マトリックスのものが濃度を変えて複数作成される。つまり、３×３の画素マトリックスのある一定領域に所定数のドットをトナーにて形成したものを、その所定数を順次増加させていき、低濃度領域からベタ画像となる高濃度領域の手前までの中間濃度領域について、複数段階の濃度のトナーパターンを形成する。これにより、中間濃度領域についてのトナー付着量を制御することができる。
【００８４】
したがって、これら高濃度検出用トナーパターンおよび中間調濃度検出用トナーパターンを併用することにより、画像全体における高濃度および中間調濃度を一定に保持して適正に画像出力することができる。
【００８５】
次に、図５に示すプリントフローチャートを用いて、本実施の形態に係る複写機のプリント動作について説明する。
【００８６】
装置の電源投入（Ｓ１）後、所定時間の回転を経てウォームアップ状態となる（Ｓ２）。この回転期間中には、画像形成プロセス部の各部が正常に動作しているか否かの確認が行われると同時に、定着温度が所定温度になるよう定着装置の加熱が行われている。
【００８７】
次いで、定着温度が一定温度に到達すると、プロセスコントロールを実行し（Ｓ３：中間調濃度補正のプロセスコントロール。詳細は図６に示す。）、その後コピー指示待ちのＲＥＡＤＹ状態となる（Ｓ４）。その時、プリント信号が入力される（プリントスイッチ（ＳＷ）がＯＮされる）と（Ｓ５）、装置はプリント前回転動作（Ｓ６）に入る。このプリント前回転動作は、感光体１…や現像剤が動的に安定した状態となるまで継続され、安定状態になるとプロセスコントロール動作に移行する（Ｓ７：一般的な感光体へのトナー付着制御を意味する。）。その後、複写プロセスが実行されて転写材へトナー像が現像される（Ｓ８）。
【００８８】
その後、プリント後回転を行い（Ｓ９）、連続コピーの要請がない場合（Ｓ１０にて条件否定の判定。）、プリント動作を終了し（Ｓ１１）、次回のコピー指示待ちの状態へ移行する（Ｓ１２）。一方、連続プリントの要請がある場合（Ｓ１０にて条件肯定の判定。）は、Ｓ５以下、Ｓ１０に至るまでのルーチンを繰り返して実行する。
【００８９】
次に、図５のＳ３のプロセスコントロールの実行、つまり、本実施の形態における画像濃度補正について、図６に示すプロセスコントロールフローチャートに基づいて具体的に説明する。
【００９０】
同図に示すように、先ず、画像濃度補正が実行される条件であるか否かを判定し（Ｓ２１）、画像濃度補正が実行される条件であるときには、濃度検知センサー１３のキャリブレーションを行い（Ｓ２２）、高濃度の補正を実行する（Ｓ２３）。
【００９１】
この高濃度補正について詳細に説明する。
【００９２】
先ず、感光体ドラム１に対して帯電、露光、現像を行い、その際、現像バイアスを変化させて各感光体ドラム１…上に各色の後述する所定の高濃度検出用トナーパターンを形成し、形成した各色の複数個の高濃度検出用トナーパターンを転写ベルト７に転写する。これら高濃度検出用トナーパターンを濃度検知センサー１３にて順に測定して行き、補正量を決定する。
【００９３】
ここで、カラーの高濃度補正時には、帯電、露光、現像、転写過程を経ることにより、現像バイアスを変化させて、下記に示すような３種の１００％ベタパターンが転写ベルト７上に形成される。
【００９４】
ｖ１：低電圧（前回設定した現像バイアスに対して−５０Ｖとなるもの）
ｖ２：基準電圧（前回設定した現像バイアス）
ｖ３：高電圧（前回設定した現像バイアスに対して＋５０Ｖとなるもの）
次に、これら各高濃度検出用トナーパターンを濃度検知センサー１０にて順に測定し、各測定結果から光学濃度を検出する。そして、図７（ａ）に示すように、３点を直線で結び、基準センサー値と交わる現像バイアスを採用する。同図（ａ）では、基準センサー値は例えば２．４Ｖとしている。なお、同図（ａ）において、前回設定した現像バイアスの基準値としての基準電圧は、−３００Ｖである。
【００９５】
次に、黒の高濃度補正時には、帯電、露光、現像、転写を経て、８０％ベタパターンが、下記に示すように現像バイアスを変化させて転写ベルト７上に形成される。なお、８０％ベタパターンを使用するのは、１００％ベタパターンでは反射光が弱くなり検知できないためである。
【００９６】
ｖ１′：低電圧（前回設定した現像バイアスに対して−５０Ｖとなるもの）
ｖ２′：基準電圧（前回設定した現像バイアス）
ｖ３′：高電圧（前回設定した現像バイアスに対して＋５０Ｖとなるもの）
次に、これらトナーパターンを濃度検知センサー１０にて順に測定し、各測定結果から次式（１）にて光学濃度が検出される。
【００９７】
濃度＝トナーパターンの反射率／転写ベルト上の反射率    …（１）
そして、図７（ｂ）に示すように、３点を直線で結び、ある決まった値としてここでは例えば１Ｖの基準センサー値と交わる現像バイアスを０．８で割った値の現像バイアスを採用する。上記式（１）を使うことにより、転写ベルト７の反射率が規格化され、安定して濃度を読むことができる。
【００９８】
高濃度の補正を実行した後（Ｓ２３）、中間調濃度補正を実行するか否かについての実行条件判定を行う（Ｓ２４）。本実施の形態に係る複写機においては、この中間調濃度補正の実行条件に合致したときのみ中間調濃度補正が行われるように設定されている。この理由は、カラー複写機においては中間調濃度補正を行うためには中間調濃度検出用トナーパターンを各色複数個形成する必要があり、補正時間、トナー消費量が問題となるため、動作回数、タイミングが重要となるためである。
【００９９】
本実施の形態では、図６に示すように、前回の高濃度補正時に設定した現像バイアスと今回設定した現像バイアスとの差が差分基準値を越えた場合にのみ中間調濃度補正を実行するようにしている。
【０１００】
すなわち、本実施の形態では、今回の高濃度補正の結果つまり今回の高濃度補正により決定された現像バイアス電圧値と、前回の高濃度補正の結果つまり前回の高濃度補正により決定された現像バイアス電圧値とを比較し、その差分が予め設定した差分基準値以上となったときにのみ引き続き中間調濃度の補正を行うようになっている。
【０１０１】
また、本実施の形態では、上記差分基準値として、例えば、現像バイアス±５０Ｖを用いており、この現像バイアス±５０Ｖ以上となったときにのみ、中間調濃度補正を行うものとなっている。なお、この差分基準値は、±５０Ｖ以上となったときには、少なくとも高濃度補正と共に中間調濃度補正をするのが適切であるとの判断に基づくものであるが、必ずしも±５０Ｖに限らない。
【０１０２】
上記の中間調濃度補正においては、図６のフローチャートに示すように、帯電、露光、現像、転写の過程において、露光時にレーザーのパルス幅を変調することにより、濃度を違えた複数個の中間調濃度検出用トナーパターンを転写ベルト７上に各色毎に形成し（Ｓ２５）、これら中間調濃度検出用トナーパターンを濃度検知センサー１３にて順次測定して行き（Ｓ２６）、各測定結果からレーザーＰＭＷ(Pulse Wave Modulation) 値を算出して光学濃度を検出する（Ｓ２７）。
【０１０３】
次に、予め設定し記憶させた各色複数個の中間調濃度基準値と比較し、それぞれ中間調濃度基準値と現在値との変化量を算出し、中間調濃度補正テーブルを作成する（Ｓ２８）。この中間調濃度補正テーブルに基づいて中間調濃度が補正される。なお、中間調濃度基準値のテーブルは、メンテナンス時に作成されるものである。
【０１０４】
中間調濃度の補正例を具体的に示すと、図８に示すように、レーザー出力であるレーザーデューティＡのときの濃度検知センサー１３の検出値が、現在はＡ’、中間調濃度基準値はＢ’である時、レーザーデューティＡをレーザーデューティＢに変動させることで、濃度検知センサー値として中間調濃度基準値Ｂ’を確保し、画像濃度を保持する。これによって、高濃度に加えて中間調濃度についても画像濃度を一定に保持することができる。なお、図６のフローチャートにおけるＳ２４に示した中間調補正濃度の実行条件判定において、差分基準値が５０Ｖ未満のときには、中間調補正を行うことなく画像を出力する。
【０１０５】
また、カラー画像を濃度補正するときには、本実施の形態では、高濃度基準値と今回の高濃度補正の結果とを比較し、少なくとも１色について差分基準値以上となったときにのみ引き続き全ての色の中間調濃度の補正を行うようになっている。
【０１０６】
このため、１色のみ中間調濃度補正が必要な時でも全ての中間調濃度を補正することにより、カラーバランスを正確に保持することが可能になる。
【０１０７】
さらに、中間調濃度の補正方法についてより詳しく説明すれば、以下のとおりである。
【０１０８】
先ず、中間調濃度の補正は、第１ステップと第２ステップとの２つのステップから構成される。第１ステップは、主として低濃度立ち上がりポイントと高濃度飽和ポイントとを求めるためのものであり、第２ステップは、近似処理を行うべく、第１ステップにて得られたポイントの詳細データ取りを行うものである。以下に、各ステップについて、詳しく説明する。
【０１０９】
第１ステップでは、帯電、露光、現像、転写工程を経て、濃度を違えた５種類の中間調濃度検出用トナーパターンが、露光装置３のレーザーデューティを振りながら転写ベルト７上に形成される。レーザーデューティの値は、例えば、３１、４７、６３、７９、２５５である。なお、レーザーデューティは、０〜２５５の値をとるものとする。
【０１１０】
次に、これら中間調濃度検出用トナーパターンを濃度検知センサー１３にて順に測定し、図９に示すように、各測定結果から低濃度立ち上がりポイントと高濃度飽和ポイントとを算出する。
【０１１１】
これら低濃度立ち上がりポイントと高濃度飽和ポイントとの算出は、以下のようにして行う。
【０１１２】
先ず、同図において、レーザーデューティ０となる濃度検知センサー１３の出力比ａを通る直線Ｙ＝ａと、レーザーデューティ２５５となる濃度検知センサー１３の出力比ｂを通る直線Ｙ＝ｂと、レーザーデューティ３１、４７、６３、７９の４点を例えば最小二乗法にて近似処理したｙ＝ｃｘ＋ｄとの３式を求める。
【０１１３】
なお、上記レーザーデューティ０となる濃度検知センサー１３の出力比ａは、データを取らなくても求まる固定値である。
【０１１４】
次いで、直線Ｙ＝ａと直線ｙ＝ｃｘ＋ｄとの交点を低濃度立ち上がりポイントとし、直線Ｙ＝ｂと直線ｙ＝ｃｘ＋ｄとの交点を高濃度飽和ポイントとする。
【０１１５】
次いで、第２ステップを行う。
【０１１６】
第２ステップでは、１６種の中間調濃度検出用トナーパターンが転写ベルト７上に連続的に形成され、第１ステップにて得られたポイントの詳細データ取りを行う。例えば、直線Ｙ＝ａと直線Ｙ＝ｂとの間ではレーザーデューティ６毎にデータ取りを行う。したがって、この１６種は、前記第１ステップで求めたレーザーデューティ３１、４７、６３、７９、２５５とは異なる場合もあれば、共通する場合もある。また、前記第１ステップで求めた低濃度立ち上がりポイントと高濃度飽和ポイントとなる変曲点近傍においては、そのレーザーデューティのピッチを細かくしている。
【０１１７】
そして、第２ステップでは、図１０に示すように、低濃度領域と中高濃度領域の２つの領域に分けてそれぞれ近似処理を行い、後で繋ぎ合せている。なお、低濃度領域は、ここでは、例えば、濃度検知センサー出力比４０％までとし、それ以上を中高濃度領域としている。ただし、必ずしもこれに限らない。
【０１１８】
ここで、本実施の形態では、低濃度立ち上がりポイント付近での濃度検知センサー値の不安定さが出力画像に影響を及ぼさないようにするために、低濃度領域においては基準値として例えば５％を設定し、この５％以下の中間調濃度検出用トナーパターンのデータを削除して近似処理を行っている。
【０１１９】
したがって、本実施の形態では、濃度検知センサー１３のセンサー値が連続的に上昇し始める点からの中間調濃度検出用トナーパターンのデータのみによって近似処理を行っている。これにより、本実施の形態では、近似線のバラツキをさらに低減させている。
【０１２０】
次いで、このように近似処理にて得られた中間調濃度カーブと図８に示す目標（初期）カーブとを比較して補正量を算出し、中間調濃度用補正テーブルを修正するようになっている。
【０１２１】
これによって、中間調濃度についても、短時間で濃度修正して高品質の画像を出力することができる。
【０１２２】
なお、上記図９および図１０においては、カラー画像におけるレーザーデューティと濃度検知センサー１３の乱反射された出力比との関係を示しているので、右上がりの直線となっているが、モノクロ画像においては、濃度検知センサー１３において正反射された検出値となるので、傾きが逆に右下がりとなる。
【０１２３】
このように、本構成においては、中間調濃度の補正を行うに際し、低濃度領域から高濃度領域手前までの、濃度レベルの異なる複数の中間調濃度検出用トナーパターンを形成して中間調濃度基準値との比較を行って補正を行う。その一方で、低濃度領域の検出値については、予め設定した低濃度領域削除基準値以下の検出値を削除し、残りの複数の検出値を用いて線型的に近似処理した値により補正を行う。
【０１２４】
すなわち、中間調濃度基準値との比較を行って補正する場合には、低濃度領域から高濃度領域手前までの濃度レベルの異なる複数の中間調濃度検出用トナーパターンを形成し、それらを検出して線型的に近似処理した値により補正される。
【０１２５】
ここで、低濃度領域の検出値については、一般的に数値が乱れるので、線型的に近似処理するのが困難である。そこで、本実施の形態では、近似処理の際には、低濃度領域の検出値については予め設定した低濃度領域削除基準値以下の検出値を削除し、残りの複数の検出値を用いて線型的に近似処理した値を用いる。
【０１２６】
この結果、予め設定した低濃度領域削除基準値以下の検出値を削除して、線型的に近似処理するのに適切な検出値を用いることができるので、近似処理の精度が向上する。
【０１２７】
また、線型的に近似処理した値を用いるので、誤った濃度変換テーブルが作成されるのを防止することができる。
【０１２８】
さらに、補完処理を行って全階調に渡る濃度変換テーブルを作成するのに比べて、大幅に時間を短縮することができる。
【０１２９】
したがって、ベタ、ライン、中間調等の画像の種類に応じて画像全体の濃度出力を確実かつ精度良く一定に保持し高品質の画像を出力しつつ、濃度補正の所要時間を短縮でき、かつ補正時に使用するトナー消費量を低減し得る画像形成装置を提供することができる。
【０１３０】
一方、線型的に近似処理するのに適切な検出値を用いるために、低濃度領域削除基準値をいかに設定するかが問題となる。
【０１３１】
しかし、本実施の形態では、レーザー出力を低側から高側に順時変化させていく時における検出値の変曲点（起点出力値）を採用する。具体的には、カラー画像においては検出値が連続的に上昇し始める点を採用する一方、モノクロ画像においては検出値が連続的に下降し始める点を採用する。
【０１３２】
これにより、低濃度領域における線型的に近似処理するのが困難である検出値を確実に削除することができると共に、線型的に近似処理するのに適切な検出値をできるだけ多く残すことができる。
【０１３３】
この結果、ベタ、ライン、中間調等の画像の種類に応じて画像全体の濃度出力を、効率的に、確実かつ精度良く一定に保持し高品質の画像を出力しつつ、濃度補正の所要時間を短縮でき、かつ補正時に使用するトナー消費量を低減し得る画像形成装置を提供することができる。
【０１３４】
次に、本発明の特徴部分である、上述した低濃度領域よりもさらに濃度が低い、極低濃度領域における補正方法について説明する。ここでは、極低濃度領域における画像の再現性の向上を目的とし、極低濃度領域の近似処理について説明する。なお、この極低濃度領域とは、濃度検知センサー１３では読み取り不可能なほど濃度が低い領域のことである。
【０１３５】
まず、図１に基づいて、本実施の形態における極低濃度領域の補正方法について説明する。なお、図１に示されているのは、カラー画像における極低濃度領域の近似処理である。
【０１３６】
図１には、上述したように低濃度領域の検出値に対して線型的に近似処理して求められた近似線▲１▼が示されている。低濃度領域の検出値のうち、この近似線▲１▼上の最低画像濃度（最低画像濃度）に対応する点Ｃ（最低画像濃度出力値）を通過し、同じく図１に示されているメンテナンス時に作成される中間調濃度基準値による基準線▲２▼と傾きを同じくする直線▲３▼を、濃度検知センサー１３にて読み取り不可能な極低濃度領域側に作成する。すなわち、近似処理により求めた近似線▲１▼上に存在する、センサー出力の最低値（スレッシュホールド）以下の濃度領域（極低濃度領域）においては、この近似線▲１▼を延長した直線を用いずに、上記のように作成した直線▲３▼を用いて階調補正を行う。
【０１３７】
上記のように、極低濃度領域における階調補正の際に、上記のような基準線▲２▼に平行な直線▲３▼を用いる方が、近似線▲１▼を延長した直線を用いるよりも、再現性が向上する。さらに、低濃度領域で近似線▲１▼を求めることに伴う検出値のバラツキの影響を排除して、カラー画像の低濃度領域の再現性を向上させることができる。
【０１３８】
また、極低濃度領域においては、中間調濃度基準値による基準線▲２▼の傾きを用いて階調補正を行うので、別途近似処理を行う必要がなくなり、階調補正の時間が短縮できる。このように、濃度検知センサー１３で検出不可能な極低濃度領域であっても、安定した階調補正を実現することができる。
【０１３９】
以上は、カラー画像の場合についての、極低濃度領域の補正方法である。これに対して、モノクロ画像の場合はカラー画像の場合とは直線の傾きが逆、すなわち右下がりとなる。そこで、図１１に示されているように、モノクロ画像の場合もカラー画像と同様に、近似線▲１▼上の最低画像濃度の点Ｃから基準線▲２▼に平行な直線▲３▼をひき、極低濃度領域においてはこの直線▲３▼を用いて階調補正を行う。これにより、カラー画像の場合と同様に、濃度検知センサー１３で検出不可能な極低濃度領域であっても、安定した階調補正を実現することができる。
【０１４０】
以上のように、本実施の形態に係る階調補正方法を用いることにより、ベタ、ライン、中間調、低濃度、極低濃度等の画像の種類に応じて画像全体の濃度出力を一定に保持しつつ、濃度補正の所要時間を短縮でき、且つ補正時に使用するトナー消費量を低減することが可能となる。
【０１４１】
なお、本実施の形態においては、極低濃度領域の階調補正に使用する直線として、最低画像濃度出力値Ｃ点を起点とした直線▲３▼を用いているが、検出値の変曲点（起点出力値）を起点として同様に作成した直線を用いることも可能である。この場合は、変曲点における画像濃度値より低い濃度を極低濃度領域とみなして、この極低濃度領域の階調補正に利用する。
【０１４２】
〔実施の形態２〕
本発明の第２の実施の形態について、図１２および図１３に基づいて説明すれば以下のとおりである。なお、説明の便宜上、前記した実施の形態１と同様の機能を有する部材については同一の参照番号を付記し、その説明を省略する。
【０１４３】
本実施の形態に係るカラー複写機は、実施の形態１で説明したカラー複写機と、近似線の作成方法および極低濃度領域における階調補正の方法が異なるだけで、それ以外の構成および補正方法については同じである。
【０１４４】
まず、カラー画像における極低濃度領域の階調補正について、図１２を用いて説明する。本実施の形態においては、予め濃度検知センサー１３の検出値の最低出力レベル（最低画像濃度に対応する出力値）を設定しておく。なお、ここでは濃度検知センサー１３の最低出力レベルを１０ｍＶに設定しているが、必ずしもこれに限るものではない。
【０１４５】
本実施の形態においては、この最低出力レベルをスレッシュホールドとし、このスレッシュホールドよりも小さいセンサー出力値の領域を、極低濃度領域としている。濃度検知センサー１３の検出値が上記最低出力レベル未満の場合はその検出値を削除して、残りの検出値を用いて近似線▲４▼（図中、現状の近似線と記載されている。）を作成する。
【０１４６】
最低出力レベル未満、すなわち極低能度領域では、上記最低出力レベルと近似線▲４▼との交点Ｄから、中間調濃度基準値による基準線▲２▼と平行な直線（図中、本件の近似線と記載されている）▲５▼を生成して、この直線▲５▼を用いて階調補正を行う。すなわち、本実施の形態において、極低濃度領域では、最低出力レベルにおける基準線▲２▼と現状の近似線▲４▼との間のレーザーデューティ値の差分値ΔＬ（デューティ値差分）だけ、基準線▲２▼を平行移動させることにより、階調補正を行う。
【０１４７】
すなわち、本実施の形態に係る極低濃度領域の階調補正方法では、予め設定した最低出力レベルよりも大きい出力の場合は、濃度検知センサー１３の各検出値を用いて作成した近似線▲４▼を用いて階調補正を行い、最低出力レベルよりも小さい出力（極低濃度領域）の場合は、近似線▲４▼上の最低出力レベルに対応する画像濃度点Ｄから基準線▲２▼と傾斜を同じくするように作成された直線▲５▼を用いて、階調補正を行う。
【０１４８】
以上のように極低濃度領域における階調補正を行うことにより、低濃度領域で階調補正用のパターン画像を作成する必要がないので、階調補正を短時間で完了させることができる。また、同時に、低濃度領域における画像の再現性も向上し、さらに、濃度検知センサー１３で検出不可能な極低濃度領域であっても、安定した階調補正を実現することができる。
【０１４９】
上記の補正方法の説明は、本実施の形態に係る極低濃度領域の補正方法をカラー画像に対して用いた場合の説明である。モノクロ画像の場合は、各直線の傾きが逆となるだけで、同様に用いることが可能である。本実施の形態に係る極低濃度領域の階調補正方法をモノクロ画像に対して適用した場合は、図１３に示すようになる。同図に示すように、モノクロ画像に対して適用した場合も同様に、予め濃度検知センサー１３の検出値の最高出力レベル（最低画像濃度に対応する出力値）をスレッシュホールドとして設定し、それ以上の領域を濃度検知センサー１３が読み取れない極低濃度領域としておく。なお、ここでは濃度検知センサー１３の最高出力レベルを３．８ｍＶに設定しているが、必ずしもこれに限るものではない。
【０１５０】
図１３に示すように、モノクロ画像の場合も、カラー画像の場合と同様に近似線を形成することにより、同様の作用効果を得ることができる。
【０１５１】
以上のように、図１２は有彩色トナーの場合のレーザーデューティ値と、センサー出力および画像濃度との関係を示しており、センサー出力と画像濃度との関係は、画像濃度の増大（減少）に伴って、センサー出力も増大（減少）する「正」の関係となっている。一方、図１３は無彩色トナー（黒色）の場合のレーザーデューティ値と、センサー出力および画像濃度との関係を示しており、センサー出力と画像濃度との関係は、画像濃度の増大（減少）に伴って、センサー出力も減少（増大）する「負」の関係となっている。
【０１５２】
以上のように、本実施の形態に係る階調補正方法を用いることにより、ベタ、ライン、中間調、低濃度、極低濃度等の画像の種類に応じて画像全体の濃度出力を一定に保持しつつ、濃度補正の所要時間を短縮でき、且つ補正時に使用するトナー消費量を低減することが可能となる。
【０１５３】
〔参考例１〕
本発明の一参考例について、図１４および図１５に基づいて説明すれば以下のとおりである。なお、説明の便宜上、前記した実施の形態１および２と同様の機能を有する部材については同一の参照番号を付記し、その説明を省略する。
【０１５４】
本参考例に係るカラー複写機は、実施の形態１および２で説明したカラー複写機と、近似線の作成方法および極低濃度領域における階調補正の方法が異なるだけで、それ以外の構成および補正方法については同じである。
【０１５５】
まず、カラー画像における極低濃度領域の階調補正について、図１４を用いて説明する。本参考例においては、予め濃度検知センサー１３の検出値の最低出力レベルを設定しておく。なお、ここでは濃度検知センサー１３の最低出力レベルを１０ｍＶに設定しているが、必ずしもこれに限るものではない。
【０１５６】
本参考例においては、この最低出力レベルをスレッシュホールドとし、このスレッシュホールドよりも小さいセンサー出力値の領域を、極低濃度領域としている。濃度検知センサー１３の検出値が上記最低出力レベル未満の場合はその検出値を削除して、残りの検出値を用いて近似線・（図中、現状の近似線と記載されている。）を作成する。
【０１５７】
中間調濃度基準値による基準線▲２▼を延長した線と、画像が出現しはじめる点の補助線Ｌ１との交点Ｅを不動点（固定点）として定める。なお、画像が出現しはじめる点とは、濃度検知センサー１３で検出不可能な極低濃度領域で画像が出現しはじめる画像濃度に対応するレーザーデューティ値のことである。
【０１５８】
次に、最低出力レベルと現状の近似線▲４▼との交点Ｄを起点とした基準線▲２▼に平行な直線Ｌ２と、基準線▲２▼と最低濃度レベルとの交点Ｆの画像濃度に対応するレーザーデューティ値からの補助線Ｌ３との交点Ｇを移動点とする。
【０１５９】
交点Ｄを起点とし、不動点Ｅと移動点Ｇとを結んで生成される直線Ｌ４に平行な直線・を仮想線として求める。本参考例においては、極低濃度領域ではこの仮想線・を用いて階調補正を行う。
【０１６０】
以上のようにして、極低濃度領域の階調補正に用いられる直線▲６▼を作成し、この直線▲６▼を用いて階調補正方法を用いることにより、低濃度領域で階調補正用のパターン画像を作成する必要がないので、階調補正を短時間で行うことができる。また、同時に、低濃度領域における画像の再現性も向上し、さらに、濃度検知センサー１３で検出不可能な極低濃度領域であっても、安定した階調補正を実現することができる。
【０１６１】
上記の補正方法の説明は、本参考例に係る極低濃度領域の補正方法をカラー画像に対して用いた場合の説明である。モノクロ画像の場合は、直線の傾きが逆となるだけで、同様に用いることが可能である。本参考例に係る極低濃度領域の階調補正方法をモノクロ画像に対して適用した場合は、図１５に示すようになる。同図に示すように、モノクロ画像に対して適用した場合も同様に、予め濃度検知センサー１３の検出値の最高出力レベルをスレッシュホールドとして設定し、それ以上の領域を濃度検知センサー１３が読み取れない極低濃度領域としておく。なお、ここでは濃度検知センサー１３の最高出力レベルを３．８ｍＶに設定しているが、必ずしもこれに限るものではない。
【０１６２】
図１５に示すように、モノクロ画像の場合も、カラー画像の場合と同様に近似線を形成することにより、同様の作用効果を得ることができる。
【０１６３】
以上のように、図１４は有彩色トナーの場合のレーザーデューティ値と、センサー出力および画像濃度との関係を示しており、センサー出力と画像濃度との関係は、画像濃度の増大（減少）に伴って、センサー出力も増大（減少）する「正」の関係となっている。一方、図１５は無彩色トナー（黒色）の場合のレーザーデューティ値と、センサー出力および画像濃度との関係を示しており、センサー出力と画像濃度との関係は、画像濃度の増大（減少）に伴って、センサー出力も減少（増大）する「負」の関係となっている。
【０１６４】
以上のように、本参考例に係る階調補正方法を用いることにより、ベタ、ライン、中間調、低濃度、極低濃度等の画像の種類に応じて画像全体の濃度出力を一定に保持しつつ、濃度補正の所要時間を短縮でき、且つ補正時に使用するトナー消費量を低減することが可能となる。
【０１６５】
【発明の効果】
以上のように、本発明に係る画像形成装置は、トナーパターンとしてメンテナンス時に生成される第１のトナーパターンと、画像形成時に生成される第２のトナーパターンとがあり、濃度検知センサーによる上記第２のトナーパターンの出力値を近似処理して求められる近似線上の、上記濃度検知センサーにより検出可能な最低画像濃度に対応する点を最低画像濃度出力値とした場合に、該最低画像濃度出力値を通過し、且つ、上記濃度検知センサーによる上記第１のトナーパターンの出力値を近似処理して求められる基準線と平行な直線を用いて、上記最低画像濃度よりも低濃度の領域の画像に対して階調補正を行う構成である。
【０１６６】
それゆえ、濃度検知センサーによる検出が不可能な、最低画像濃度よりも低濃度の画像に対しても、安定した階調補正が可能となる。また、低濃度領域の画像に対して、簡単に、しかも精度良く、色や濃度の調整を行うことができる。また、中／高濃度領域の画像に対する補正方法としては、従来より様々な技術が開示されており、それらの方法と、本発明の低濃度領域の画像に対する補正方法とを組み合わせることで、画像全体の安定した再現性を確保することが可能となる。
【０１６７】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となるという効果を奏する。
【０１６８】
また、本発明に係る画像形成装置は、トナーパターンとしてメンテナンス時に生成される第１のトナーパターンと、画像形成時に生成される第２のトナーパターンとがあり、濃度検知センサーによる上記第２のトナーパターンの出力値を近似処理する際に、該出力値のうち所定値未満の出力値を削除し、残りの出力値のみを用いて近似線を求め、該近似線上の上記所定値に対応する点を通過し、且つ、上記濃度検知センサーによる上記第１のトナーパターンの出力値を近似処理して求められる基準線と平行な直線を用いて、上記所定値よりも低濃度の領域の、有彩色画像に対する階調補正を行う構成とすることもできる。
【０１６９】
それゆえ、所定値以下の低濃度領域では濃度検知センサーの出力値を用いて近似線を求める必要がないので、所定値として、例えばセンサーの不安定さの影響が及ぼされない程度の濃度を設定すれば、近似線の生成に伴う低濃度領域の出力値のバラツキの影響、例えばセンサー感度が不十分であることや、ノイズによる採取データの劣化などの不具合を排除することができる。従って、低濃度領域における有彩色画像の再現性を向上させることができる。さらに、低濃度領域では、第１のトナーパターンの出力値から求められる基準線の傾きを用いて階調補正を行うので、別途近似処理等を行う必要がなくなり、階調補正時間が短縮される。
【０１７０】
また、中／高濃度領域の画像に対する補正方法としては、従来より様々な技術が開示されており、それらの方法と、本発明の低濃度領域の画像に対する補正方法とを組み合わせることで、画像全体の安定した再現性を確保することが可能となる。
【０１７１】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となるという効果を奏する。
【０１７２】
また、本発明に係る画像形成装置は、トナーパターンとしてメンテナンス時に生成される第１のトナーパターンと、画像形成時に生成される第２のトナーパターンとがあり、濃度検知センサーによる上記第２のトナーパターンの出力値を近似処理する際に、該出力値のうち所定値を超える出力値を削除し、残りの出力値のみを用いて近似線を求め、該近似線上の上記所定値に対応する点を通過し、且つ、上記濃度検知センサーによる上記第１のトナーパターンの出力値を近似処理して求められる基準線と平行な直線を用いて、上記所定値より低濃度の領域の、無彩色画像に対する階調補正を行う構成とすることもできる。
【０１７３】
これにより、無彩色画像に対しても、上述した有彩色画像の場合と同様の作用効果を得ることができる。
【０１７４】
また、本発明に係る画像形成装置は、トナーパターンとしてメンテナンス時に生成される第１のトナーパターンと、画像形成時に生成される第２のトナーパターンとがあり、濃度検知センサーによる上記第２のトナーパターンの出力値に対し、デューティ値を順次増加する方向へ変化させた場合に、出力値が連続的な上昇を開始する起点を起点出力値とし、該起点出力値を通過し、且つ、上記濃度検知センサーによる上記第１のトナーパターンの出力値を近似処理して求められる基準線と平行な直線を用いて、上記起点出力値に対応する濃度値よりも低濃度の領域の、有彩色画像に対する階調補正を行う構成とすることもできる。
【０１７５】
それゆえ、近似線を求めることに伴うバラツキの影響、例えばセンサー感度が不十分であることや、ノイズによる採取データの劣化等の不具合を排除し、有彩色画像における低濃度領域の再現性を向上させることができる。さらに、起点出力値の画像濃度以下の低濃度領域では、別途近似処理等を行う必要がないので、階調補正時間が短縮される。
【０１７６】
また、中／高濃度領域の画像に対する補正方法としては、従来より様々な技術が開示されており、それらの方法と、本発明の低濃度領域の画像に対する補正方法とを組み合わせることで、画像全体の安定した再現性を確保することが可能となる。
【０１７７】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となるという効果を奏する。
【０１７８】
また、本発明に係る画像形成装置は、トナーパターンとしてメンテナンス時に生成される第１のトナーパターンと、画像形成時に生成される第２のトナーパターンとがあり、濃度検知センサーによる上記第２のトナーパターンの出力値に対し、デューティ値を順次増加する方向へ変化させた場合に、出力値が連続的な下降を開始する起点を起点出力値とし、該起点出力値を通過して、且つ、上記濃度検知センサーによる上記第１のトナーパターンの出力値を近似処理して求められる基準線と平行な直線を用いて、上記起点出力値に対応する濃度値よりも低濃度領域の無彩色画像に対する階調補正を行う構成とすることもできる。
【０１７９】
それゆえ、無彩色画像に対しても、上述した有彩色画像の場合と同様の作用効果を得ることができる。
【０１８０】
また、本発明に係る画像形成装置は、トナーパターンとしてメンテナンス時に生成される第１のトナーパターンと、画像形成時に生成される第２のトナーパターンとがあり、濃度検知センサーによる上記第１のトナーパターンの出力値を近似処理して求められる基準線の、所定の最低画像濃度に対応するデューティ値と、上記濃度検知センサーによる上記第２のトナーパターンの出力値を近似処理して求められる近似線の、上記最低画像濃度に対応するデューティ値との差を、デューティ値差分とし、上記最低画像濃度よりも低濃度の領域の画像に対しては、上記基準線を上記デューティ値差分だけ上記近似線側に平行移動させた直線を用いて、階調補正を行う構成とすることもできる。
【０１８１】
それゆえ、予め設定した最低画像濃度よりも低濃度の領域では、わざわざ、階調補正用のパターン画像を作成して画像の濃度検出を行う必要がないので、階調補正が簡単に短時間で完了する。また上記のような補正を行うことにより、低濃度領域における画像の再現性をより向上させることができる。
【０１８２】
また、中／高濃度領域の画像に対する補正方法としては、従来より様々な技術が開示されており、それらの方法と、本発明の低濃度領域の画像に対する補正方法とを組み合わせることで、画像全体の安定した再現性を確保することが可能となる。
【０１８３】
これにより、ベタ、ライン、中間調、低濃度等の画像の種類に応じて、画像全体の濃度出力を一定に保持しつつ、濃度補正の所要時間を短縮でき、且つ補正時に使用するトナー消費量を低減することが可能となるという効果を奏する。
【図面の簡単な説明】
【図１】本発明の第１の実施の形態に係るカラー複写機において、カラー画像における極低濃度領域の階調補正を行う状態を示す説明図である。
【図２】上記カラー複写機の画像形成プロセス部の概要を示す構成図である。
【図３】上記カラー複写機の画像信号処理部の構成を示すブロック図である。
【図４】上記カラー複写機の濃度検知センサーを示す構成図である。
【図５】上記カラー複写機のプリント動作を示すフローチャートである。
【図６】上記カラー複写機の画像濃度補正の動作を示すフローチャートである。
【図７】上記カラー複写機において濃度検知センサーにて濃度補正する状態を示すものであり、（ａ）はカラー画像を高濃度補正する説明図、（ｂ）はモノクロ画像を高濃度補正する状態を示す説明図である。
【図８】上記カラー複写機において中間調濃度補正を行う状態を示す説明図である。
【図９】上記カラー複写機において中間調濃度の補正を行うに際し、第１ステップとして、５種類の中間調濃度検出用トナーパターンを形成して低濃度立ち上がりポイントと高濃度飽和ポイントとを算出する状態を示す説明図である。
【図１０】上記カラー複写機において中間調濃度の補正を行うに際し、第２ステップとして、最小二乗法による中間調濃度の近似処理を行うべく、１６種類の中間調濃度検出用トナーパターンを形成して詳細データ取りを行う状態を示す説明図である。
【図１１】上記カラー複写機において、モノクロ画像における極低濃度領域の階調補正を行う状態を示す説明図である。
【図１２】本発明の第２の実施の形態に係るカラー複写機において、カラー画像における極低濃度領域の階調補正を行う状態を示す説明図である。
【図１３】上記カラー複写機において、モノクロ画像における極低濃度領域の階調補正を行う状態を示す説明図である。
【図１４】本発明の第３の実施の形態に係るカラー複写機において、カラー画像における極低濃度領域の階調補正を行う状態を示す説明図である。
【図１５】上記カラー複写機において、モノクロ画像における極低濃度領域の階調補正を行う状態を示す説明図である。
【図１６】従来の画像形成装置を示すものであり、濃度補正動作判定を説明するための概念図である。
【図１７】上記従来の画像形成装置における部材交換による濃度曲線を変化を示す説明図である。
【符号の説明】
１    感光体
１３    濃度検知センサー
【図１】
0003666643.tif 000002
【図２】
0003666643.tif 000003
【図３】
0003666643.tif 000004
【図４】
0003666643.tif 000005
【図５】
0003666643.tif 000006
【図６】
0003666643.tif 000007
【図７】
0003666643.tif 000008
【図８】
0003666643.tif 000009
【図９】
0003666643.tif 000010
【図１０】
0003666643.tif 000011
【図１１】
0003666643.tif 000012
【図１２】
0003666643.tif 000013
【図１３】
0003666643.tif 000014
【図１４】
0003666643.tif 000015
【図１５】
0003666643.tif 000016
【図１６】
0003666643.tif 000017
【図１７】
0003666643.tif 000018